(57)【要約】      （修正有）【課題】目の不自由な人でも剥離開始部を触覚により感知して容易に開封できるとともに、収納されている内容物を確認することができる点字入りブリスター容器を提供する。【解決手段】蓋材１と内容物収納部２ａが形成された容器材２とを周縁の熱接着部３にて剥離可能に接着したブリスター容器において、前記熱接着部３の周縁領域の角部に所定の大きさの非熱接着部４からなる剥離開始部が形状とされ、前記剥離開始部に対応する前記蓋材１に剥離開始部であることを示す外方に突出する複数の点状突起からなる点字５が形成された構成の点字入りブリスター容器である。【選択図】        図１
2004315015.tif 000002
【特許請求の範囲】
【請求項１】
蓋材と内容物収納部が形成された容器材とを周縁の熱接着部にて剥離可能に接着したブリスター容器において、前記熱接着部の周縁領域の角部に所定の大きさの非熱接着部からなる剥離開始部が形成され、前記剥離開始部に対応する前記蓋材に剥離開始部であることを示す外方に突出する複数の点状突起からなる点字が形成された構成からなることを特徴とする点字入りブリスター容器。
【請求項２】
前記熱接着部の内部領域に非熱接着部からなる内容物表示部が形成され、前記内容物表示部に対応する前記蓋材にブリスター容器に収納されている内容物を示す外方に突出する複数の点状突起からなる点字が形成されていることを特徴とする請求項１記載の点字入りブリスター容器。
【請求項３】
前記点字を構成する点状突起の形状が、直径が１．０〜２．０ｍｍ、高さが０．１〜０．８ｍｍであることを特徴とする請求項１または２記載の点字入りブリスター容器。
【請求項４】
前記点状突起が、円筒状の突起を有する雄型と円筒状の孔を有する雌型を使用して、前記蓋材をプレスすることにより形成されたものであることを特徴とする請求項１〜３のいずれかに記載の点字入りブリスター容器。
【請求項５】
容器材用シート給紙部からロール状の容器材用シートを繰り出し、熱成形により内容物収納部を成形し、内容物収納部に内容物を充填した状態で、蓋材用シート給紙部からロール状の蓋材用シートを繰り出し、内容物を充填した容器材に被せて、蓋材と容器材を熱接着し、所定の形状に打ち抜いてブリスター容器を作製するブリスター包装機を使用したブリスター容器の製造方法であって、蓋材用シート給紙部からロール状の蓋材用シートを繰り出す工程と、内容物収納部に内容物を充填した容器材に蓋材用シートを被せる工程との間に、円筒状の突起を有する雄型と円筒状の孔を有する雌型からなるエンボス装置にて、蓋材用シートに外方に突出する複数の点状突起からなる点字を形成する工程を備えたことを特徴とする点字入りブリスター容器の製造方法。
【発明の詳細な説明】
【０００１】
【発明の属する技術分野】
本発明は、目の不自由な人でも剥離開始部及び内容物の種類を容易に判別できる点字入りブリスター容器に関する。
【０００２】
【従来の技術】
従来、点字付き包装容器としては、溶着密封した袋であって、溶着部分に凸版状に形成された点字が付いた包装容器（例えば、特許文献１参照）、ないしは、プラスチック基材層と熱接着性樹脂層を備えた積層フィルムから形成された包装袋であって、周縁の熱接着部に点字が形成された点字付き包装容器（例えば、特許文献２参照）等が知られている。しかしながら、上記の点字が付いた包装容器及び点字付き包装容器は、易開封性包装容器ではなく、開封開始部に点字が表示されている構成ではない。また、前者のように溶着部分に点字が形成された構成の場合、点字形成用の熱板を使用することが必要になり、シャープな点字を形成するのが困難であり、後者のように積層フィルムの熱接着部に点字を形成する場合、熱接着部では２枚の積層フィルムが重なった状態で厚さが厚くなるので、雄型と雌型を使用したエンボスにより点字を形成しても、シャープな点字を形成するのが困難であるという欠点を有している。
【０００３】
【特許文献１】
実開昭６１−１７２０３０号公報（請求項７、第２図）
【特許文献２】
特開２００２−２４０８３３号公報（請求項１、図１）
【０００４】
【発明が解決しようとする課題】
本発明の目的は、目の不自由な人でも剥離開始部及び内容物の種類を容易に判別できる点字入りブリスター容器を提供することである。
【０００５】
【課題を解決するための手段】
蓋材と内容物収納部が形成された容器材とを周縁の熱接着部にて剥離可能に接着したブリスター容器において、前記熱接着部の周縁領域の角部に所定の大きさの非熱接着部からなる剥離開始部が形成され、前記剥離開始部に対応する前記蓋材に剥離開始部であることを示す外方に突出する複数の点状突起からなる点字が形成された構成とすることにより、蓋材のみに点状突起を形成するので、シヤープで剛性の優れた点状突起からなる点字を形成することが可能となり、目の不自由な人でも容易に剥離開始部を触覚により感知して開封することができるブリスター容器とすることができる。
【０００６】
上記の点字入りブリスター容器において、前記熱接着部の内部領域に非熱接着部からなる内容物表示部が形成され、前記内容物表示部に対応する前記蓋材にブリスター容器に収納されている内容物を示す外方に突出する複数の点状突起からなる点字が形成されている構成とすることにより、目の不自由な人でもブリスター容器の内部に収納されている内容物を容易に確認することができる。
【０００７】
上記の点字入りブリスター容器において、前記点字を構成する点状突起の形状が、直径が１．０〜２．０ｍｍ、高さが０．１〜０．８ｍｍである構成とすることにより、感知し易い点状突起とすることができるので、触覚により複数の点状突起からなる点字を判読することが可能となる。
【０００８】
上記の点字入りブリスター容器において、前記点状突起が、円筒状の突起を有する雄型と円筒状の孔を有する雌型を使用して、常温にて蓋材をプレスすることにより形成された構成とすることにより、剛性があり潰れにくく触覚により容易に判読できる複数の点状突起からなる点字を蓋材に簡単に形成することができるものである。
【０００９】
容器材用シート給紙部からロール状の容器材用シートを繰り出し、熱成形により内容物収納部を成形し、内容物収納部に内容物を充填した状態で、蓋材用シート給紙部からロール状の蓋材用シートを繰り出し、内容物を充填した容器材に被せて、蓋材と容器材を熱接着し、所定の形状に打ち抜いてブリスター容器を作製するブリスター包装機を使用したブリスター容器の製造方法であって、蓋材用シート給紙部からロール状の蓋材用シートを繰り出す工程と、内容物収納部に内容物を充填した容器材に蓋材用シートを被せる工程との間に、円筒状の突起を有する雄型と円筒状の孔を有する雌型からなるエンボス装置にて、蓋材用シートに外方に突出する複数の点状突起からなる点字を形成する工程を備えたことを特徴とする点字入りブリスター容器の製造方法とすることにより、ブリスター包装機を使用した自動包装ラインにて、常温で雄型と雌型にてプレスする簡単な操作により蓋材に点字を形成することができるとともに、蓋材に点字を形成するための工程を特別に設ける必要がなくなるので製造工程が簡略化できコストダウンを図ることができる。
【００１０】
【発明の実施の形態】
以下、図面を引用して本発明の実施の形態を説明する。
図１は本発明の第１実施形態を示す蓋材側の平面図、図２は図１におけるＩ−Ｉ線断面図、図３は図１におけるＩＩ−ＩＩ線拡大断面図、図４は本発明の第２実施形態を示す蓋材側の平面図、図５は図４におけるＩＩＩ−ＩＩＩ  線拡大断面図、図６は蓋材に点字を形成するための雄型と雌型を示す断面図、図７はブリスター包装機においてエンボス装置を使用して蓋材用シートの所定位置に点字が形成された状態を示す平面図であって、１は蓋材、１’は蓋材用シート、２は容器材、２ａは内容物収納部、３，３’は熱接着部、４，４’は非熱接着部、５，５’は点字、５ａは点状突起、６は内容物、７は雌型、７ａは孔、８は雄型、８ａは突起、９は仕上りカット線をそれぞれ表す。
【００１１】
本発明の第１実施形態は図１〜図３に示すとおりである。蓋材１側の平面形状は、図１に示すように、蓋材１と、中央部に熱成形により内容物収納部２ａが形成され周囲が平坦部とされた容器材２とが、周縁の熱接着部３にて剥離可能に熱接着されて密封された４角形状のブリスター容器であり、１箇所の角部が熱接着部３が形成されていない非熱接着部４とされ、蓋材１の非熱接着部４に対応する領域に外方に突出する複数の点状突起５ａからなる点字５が形成された構成である。第１実施形態では、蓋材１の非熱接着部４に対応する領域に「あける」という点字５が形成されているが、蓋材１に形成する点字５の内容は任意であり、蓋材１と容器材２とを剥離させてブリスター容器の開封を開始する箇所であることが容易に判る表現を使用することができる。
【００１２】
第１実施形態の横方向の断面形状は、図２に示すように、中央部に内容物収納部２ａが形成され周縁部が平坦とされた容器材２の内容物収納部２ａに内容物６を収納した状態で、蓋材１を被せて容器材２の周縁の平坦部にて熱接着部３により蓋材１と容器材２が剥離可能に熱接着されて密封されている。蓋材１の非熱接着部４に対応する領域において点字５が形成された部分の、図１におけるＩＩ−ＩＩ拡大断面図は、図３に示すように、外方に突出する複数の点字５が形成された蓋材１と容器材２が重なった状態であり、蓋材１には「あける」と表示さている点字５の「け」の点字を構成する２個の外方に突出する点状突起５ａが成形された形状となっている。第１実施形態では、非熱接着部４に対応する領域において蓋材１に外方に突出する「あける」という点字５がエンボスにより形成されているので、目の不自由な人でも、触覚によりブリスター容器の開封開始部の位置を容易に判別することが可能であり、非熱接着部４の点字５が形成された開封開始部から蓋材１と容器材２を剥離させて簡単に開封することができる。
【００１３】
本発明の第２実施形態は、基本的には第１実施形態と同じ構成であって図４、図５に示すとおりである。蓋材１側の平面形状は、図４に示すように、蓋材１と、中央部に熱成形により内容物収納部２ａが形成され周囲が平坦部とされた容器材２とが、周縁の熱接着部３’にて剥離可能に熱接着されて密封された４角形状のブリスター容器であり、１箇所の角部が熱接着部３’が形成されていない非熱接着部４とされるとともに、熱接着部３’の中央部にもう一つの非熱接着部４’が形成され、蓋材１の非熱接着部４に対応する領域には第１実施形態と同様に「あける」という点字５が形成されており、蓋材１の非熱接着部４’に対応する領域には、外方に突出する複数の点状突起５ａからなる点字５’が形成された構成である。第２実施形態では、蓋材１の非熱接着部４’に対応する領域に、ブリスター容器に包装されている内容物の名称を表示する「スライスハム」の点字が形成されている。非熱接着部４’に対応する領域における蓋材に形成する点字はブリスター容器に包装される内容物の種類により適宜変更すればよいものである。
【００１４】
第２実施形態の蓋材１の非熱接着部４’に対応する領域において点字５’が形成された部分の断面形状は、図５に示すように、非熱接着部４’の周縁領域は熱接着部３’により蓋材１と容器材２は熱接着されており、非熱接着部４’に対応する領域では蓋材１と容器材２は熱接着されない状態であり、蓋材１の非熱接着部４’に対応する領域には外方に突出する点字５’を構成する点状突起５ａが形成されている。第２実施形態では、蓋材１の非熱接着部４に対応する領域には外方に突出する「あける」という点字５が形成されているとともに、蓋材１の非熱接着部４’に対応する領域には、ブリスター容器に包装されている内容物を示す、外方に突出する「スライスハム」と表示した点字が形成されている。第２実施形態では、第１実施形態と同様に、目の不自由な人でもブリスター容器を簡単に開封することができるもとともに、ブリスター容器に包装されている内容物を、蓋材１の非熱接着部４’に対応する領域に表示されている点字にて確認することができる。
【００１５】
第１、第２実施形態において、蓋材１に形成する点字５，５’を構成する点状突起  ５ａの形状は、直径が１．０〜２．０ｍｍ、高さが０．１〜０．５ｍｍとされている。点状突起５ａの直径が２．０ｍｍより大きくなると、形成された点状突起５ａが潰れやすくなり、逆に点状突起５ａの直径が１．０ｍｍより小さくなるとシヤープな形状を有する高い突起を形成するのが困難となる。点字５は、複数の点状突起５ａを２．０〜３．０ｍｍの等間隔で縦横に配列して形成される。
【００１６】
第１、第２実施形態において、蓋材１に点字５，５’を形成するには、図６に示すように、先端が丸い円筒状の突起８ａを有する雄型８と円筒状の孔７ａを有する雌型７を使用して、雄型８と雌型７の間に蓋材１を載置して加圧してエンボスを行うことにより、蓋材１に先端が丸い円筒状のシャープな点状突起５ａからなる点字５，５’を形成することができる。雌型７の孔７ａの直径は、雄型８の突起８ａの直径より０．０５〜０．１ｍｍ大きくしておくのが好ましい。また、雌型７に形成する孔７ａをいかなる点字にも対応できるように所定間隔をおいてマトリックス状に形成しておくことにより、点字の表示を変更する際には、表示する点字に対応した雄型８に取り替えるだけでよく、雌型７を取り替えることなく、蓋材１にエンボスにより点字を表示することができるのできわめて効率的である。蓋材１に点字を形成するためのエンボス工程は常温で行うのが好ましいが、所定の温度に雌型７及び又は雄型８を加熱して行ってもよい。
【００１７】
蓋材の所定位置に点字を形成するには、ブリスター包装機を使用してスライスハム等の内容物を包装する際に、容器材給紙部からロール状の容器材用シートを繰り出し、熱成形により内容物収納部を成形して容器材を作製し、内容物収納部に内容物を充填した状態で、蓋材給紙部からロール状の蓋材用シートを繰り出し、内容物を充填した容器材に被せて、蓋材と容器材を熱接着し、所定の形状に打ち抜いてブリスター容器を作製する工程において、蓋材給紙部からロール状の蓋材用シートを繰り出し、内容物を充填した容器材に被せるまでの蓋材の経路中において、ブリスター包装機に取り付けられた、円筒状の突起を備えた雄型と円筒状の孔を備えた雌型からなるエンボス装置を使用して、蓋材に外方に突出する点字を形成することにより点字入りブリスター容器を製造することができる。
【００１８】
第１実施形態の蓋材の場合、ブリスター包装機にて蓋材用シート１’にエンボスにより点字５が形成された状態は、例えば、図７に示すとおりであり、連続した蓋材用シート１’に、蓋材用シート１’の流れに直交方向に３列取りとなるように仕上りカット線９にて区画され、仕上りカット線９に対応する一箇所の角部における蓋材用シート１’の所定の領域に点字５が形成されている。図７に示す蓋材用シート１’では、蓋材用シート１’の流れに直交方向に３列取りとされているので、蓋材用シート１’に点字を形成するための雄型と雌型からなる金型を、蓋材用シート１’の流れに直交方向に３組並列に並べて取り付けたエンボス装置を使用することが必要になる。蓋材用シート１’の流れに直交方向の取り数は任意であり、蓋材用シート１’の流れに直交方向の取り数に見合ったエンボス装置を使用することが必要になる。
【００１９】
ブリスター包装機において、蓋材用シートにエンボスを施して点字を形成する製造方法を採用することにより、蓋材用シートの製造時にエンボス工程を別に設けて点字を形成する必要がなくなるので、ブリスター容器の製造工程を簡略化することができコストダウンが可能となる。また、蓋材用シートの製造工程において点字を形成した場合に、点字が突出しているため点字が形成された箇所が盛り上がって蓋材用シートをきれいに巻き取ることができないという問題を解消することができる。
【００２０】
蓋材としては、寸法安定性の優れた外面層とガスバリヤー性の優れた中間層と易剥離性の内面層、ないしはガスバリヤー性の優れた外面層と易剥離性の内面層からなる構成の積層体が使用される。外面層としては、耐熱性、寸法安定性の優れた２軸延伸ポリエチレンテレフタレート（ＰＥＴ）、金属酸化物蒸着２軸延伸ポリエチレンテレフタレート（ＶＭＰＥＴ）等の延伸フィルムが使用される。中間層としては、エチレン−ビニルアルコール共重合体（ＥＶＯＨ）、エチレン−酢酸ビニル共重合体（ＥＶＡ）／ＥＶＯＨ／ＥＶＡからなる共押出フィルム、２軸延伸ナイロン（ＯＮ）、シリカ蒸着２軸延伸ナイロン（ＶＭＯＮ）、ＶＭＰＥＴ等が使用される。内面層としては、ポリオレフィン樹脂と熱接着した際に易剥離性熱接着部を形成することができる易剥離性樹脂（ＥＰ）が使用されるが、容器材の内面層が易剥離性樹脂（ＥＰ）からなる構成の場合には、低密度ポリエチレン（ＬＤＰＥ）、線状低密度ポリエチレン（ＬＬＤＰＥ）、エチレン−酢酸ビニル共重合体（ＥＶＡ）等が使用できる。蓋材の構成としては、例えば、ＰＥＴ／ドライラミネーション（ＤＬ）／ＥＰ、ＶＭＰＥＴ／ＤＬ／ＥＰ、ＰＥＴ／ＤＬ／共押出フィルム、ＰＥＴ／ＤＬ／ＥＶＯＨ／ＤＬ／ＥＰ、ＰＥＴ／ＤＬ／ＶＭＰＥＴ／ＤＬ／ＥＰ、ＰＥＴ／ＤＬ／ＶＭＯＮ／ＤＬ／ＥＰ等である。
【００２１】
容器材２としては、外面層とガスバリヤー性の優れた中間層と熱接着性樹脂層からなる積層体、又は共押出フィルムが使用される。容器材２は優れた熱成形性、柔軟性が要求されるため、外面層としては、未延伸ナイロン（ＣＮ）、非晶質ポリエステル（ＡＰＥＴ）、未延伸ポリプロピレン（ＣＰＰ）等が使用される。ガスバリヤー性の優れた中間層としては、エチレン−ビニルアルコール共重合体（ＥＶＯＨ）、ＥＶＡ／ＥＶＯＨ／ＥＶＡからなる共押出フィルム等が使用される。熱接着性樹脂層としては、低密度ポリエステル（ＰＥ）、線状低密度ポリエチレン（ＬＬＤＰＥ）、エチレン−酢酸ビニル共重合体（ＥＶＡ）、易剥離性樹脂（ＥＰ）等が使用される。容器材２の構成としては、例えば、ＣＮ／ＤＬ／共押出フィルム、ＣＰＰ／ＤＬ／共押出フィルム、Ａ−ＰＥＴ／ＤＬ／共押出フィルム、ＣＮ／ＤＬ／ＥＶＯＨ／ＤＬ／ＥＶＡ、ＣＰＰ／ＤＬ／ＥＶＯＨ／ＤＬ／ＥＶＡ、ＡＰＥＴ／ＤＬ／ＥＶＯＨ／ＤＬ／ＥＶＡ等が使用される。
【００２２】
【発明の効果】
本発明のように、蓋材と内容物収納部が形成された容器材とを周縁の熱接着部にて剥離可能に接着したブリスター容器の熱接着部の周縁領域の角部に所定の大きさの非熱接着部からなる剥離開始部を形状し、剥離開始部に対応する蓋材に剥離開始部であることを示す外方に突出する複数の点状突起からなる点字を形成した構成とすることにより、蓋材のみに点状突起を形成するので、シヤープで剛性の優れた点状突起からなる点字を形成することが可能となり、目の不自由な人でも容易に剥離開始部を触覚により感知して開封することができるブリスター容器とすることができる。
【００２３】
上記の点字入りブリスター容器において、熱接着部の内部領域に非熱接着部からなる内容物表示部が形成され、内容物表示部に対応する蓋材にブリスター容器に収納されている内容物を示す外方に突出する複数の点状突起からなる点字が形成されている構成とすることにより、目の不自由な人でも、ブリスター容器に収納されている内容物の種類を容易に確認することができる。
【００２４】
本発明のように、ブリスター包装機を使用したブリスター容器の製造方法であって、蓋材用シート給紙部からロール状の蓋材用シートを繰り出す工程と、内容物収納部に内容物を充填した容器材に蓋材用シートを被せる工程との間に、円筒状の突起を有する雄型と円筒状の孔を有する雌型からなるエンボス装置にて、蓋材用シートに外方に突出する複数の点状突起からなる点字を形成する工程を備えたことを特徴とする点字入りブリスター容器の製造方法とすることにより、ブリスター包装機を使用した自動包装ラインにて、常温で雄型と雌型にてプレスする簡単な操作により蓋材に点字を形成することができるので、蓋材に点字を形成するための特別な工程を設ける必要がなくなるので製造工程が簡略化できコストダウンを図ることができる。
【図面の簡単な説明】
【図１】本発明の第１実施形態を示す蓋材側の平面図。
【図２】図１におけるＩ−Ｉ線断面図。
【図３】図１におけるＩＩ−ＩＩ線拡大断面図。
【図４】本発明の第２実施形態を示す蓋材側の平面図。
【図５】図５における  ＩＩＩ−ＩＩＩ  線拡大断面図。
【図６】蓋材に点字を形成するための雄型と雌型を示す断面図。
【図７】ブリスター包装機においてエンボス装置を使用して蓋材用シートの所定位置に点字が形成された状態を示す平面図。
【符号の説明】
１  蓋材
１’  蓋材用シート
２  容器材
２ａ  内容物収納部
３，３’    熱接着部
４，４’非熱接着部
５，５’  点字
５ａ    点状突起
６  内容物
７  雌型
７ａ    孔
８  雄型
８ａ    突起
９  仕上りカット線
【図１】
2004315015.tif 000003
【図２】
2004315015.tif 000004
【図３】
2004315015.tif 000005
【図４】
2004315015.tif 000006
【図５】
2004315015.tif 000007
【図６】
2004315015.tif 000008
【図７】
2004315015.tif 000009